(57)【要約】【課題】  従来の練り歯磨きは、合成界面活性剤、発泡剤、防腐剤、香料などの添加により、歯磨き後に薬品臭さが残存し、歯磨き後の食物の味を損ね、歯槽膿漏、歯茎の消炎などの予防に有効な作用を及ぼさない。【解決手段】  溶剤の常水と湿潤剤のグリセリンとソルビトールとを混合して水溶液を調整し、粘結剤のキサンタンガムとカラーギナンと、研磨剤の炭酸カルシウ厶とを混合して粉体原料に調整し、水溶液と粉体原料を練合して練合体に調整し、この練合体に香味剤のメントールとスペアミント油と高純度のプロポリスエキスとを混入させて練り歯磨き剤として、開閉自在のキャップ２と一体のチューブ状の容器本体１内に充填したものである。  これにより、ワンタッチでキャップ２の開閉ができ、使用上至便であるとともに、歯磨き後に薬品臭さが口内に残存せず、爽快な歯磨き感が得られ、食べ物の味を損ねないばかりか、歯周菌、口内雑菌を殺菌し、歯槽膿漏と歯肉炎などを予防することができる。【選択図】  図１
0003101978.tif 000002
【実用新案登録請求の範囲】
【請求項１】
炭酸カルシウ厶による研磨剤と、常水による溶剤と、グリセリンとソルビトールとを含有する湿潤材と、キサンタンガムとカラギーナンとを含有する粘結剤と、メントールとスペアミント油と高純度のプロポリスエキスとを含む香味剤とを含有させて容器内に充填することを特徴とする容器入り練り歯磨き。
【請求項２】
上記プロポリスエキスは、エタノールにプロポリス原塊を浸漬させた状態で超音波発生装置により上記エタノール中に超音波を発生させて抽出されたプロポリスエキスであることを特徴とする請求項１に記載の容器入り練り歯磨き。
【請求項３】
上記プロポリスエキスは、エタノールにプロポリス原塊を浸漬して８℃以下の低温度状態でエタノールとプロポリス原塊に接触させた遠赤外線放射体から放射される遠赤外線の照射により抽出されたプロポリスエキスであることを特徴とする請求項１に記載の容器入り練り歯磨き。
【請求項４】
上記プロポリスエキスは、エタノールにプロポリス原塊を浸漬して８℃以下の低温度状態でエタノールとプロポリス原塊に接触させた遠赤外線放射体から放射される遠赤外線の照射と、上記エタノール中に超音波発生装置により発生された超音波とにより抽出されたプロポリスエキスであることを特徴とする請求項１に記載の容器入り練り歯磨き。
【考案の詳細な説明】
【技術分野】
【０００１】  この考案は、香味剤として高純度のプロポリスエキスを添加して、歯磨き中と歯磨き後に爽快感を得られ、しかも歯周菌に対する殺菌、抗菌作用を及ぼし、歯槽膿漏や虫歯予防、口内炎その他の口内の傷創の治癒などに有効な容器入り練り歯磨きに関する。
【背景技術】
【０００２】  歯磨きの主流となっている練り歯磨きは、周知のように、チューブに充填され、それぞれわずかに成分を異ならせて、虫歯予防効果、歯の再石灰化の促進機能と言ったような効果や機能を包装容器の表面に明示してセールスポイントを強調して多くの種類の練り歯磨きが市販されている。【０００３】  しかし、スーパマーケットやドラッグストアなどに陳列されている多種類の練り歯磨きの中から希望する練り歯磨きを購入する際には、専門的知識のない一般の消費者にとっては、練り歯磨の包装容器に印刷されている成分をよく理解して、その含有成分のうちのどの成分により表示されている効能が得られるのか理解することができない場合が多い。
このため、効能書きから自分の意図する効果を推測して購入する場合が多いが、実際に購入して使用して見ると、効能書き通りの効果が得られたという感触がないのが実情である。【０００４】  特に、歯周病、歯肉炎、歯槽膿漏などの予防のために、これらの歯周病、歯肉炎、歯槽膿漏などの予防効能を表示した練り歯磨きを購入しても、含有成分に着色剤や、防腐剤などの添加物が混入されている場合がある。【０００５】  このような練り歯磨きを使用した場合には、上記効能書き通りの効果が得られないことに加えて、歯磨き後にこれらの添加物に起因する不快感が口内に残存したり、また歯磨きをした直後に食事をすると、食べ物の食感が変わり、不純な味を感触すると言う嫌いがある。【０００６】  そこで、実登３０１８８８９号公報には、少なくとも研磨剤と発泡剤とからなる練り歯磨きにプロポリスを０．５〜１５重量％含有せしめ、これを容器に封入したことを特徴とするプロポリス入り歯磨き剤の容器について記載されている。
このようにプロポリスを練り歯磨きに含有させることにより、短時間に歯茎をしっかりさせるなどの顕著な効果が表れ、歯周病の予防のみならず、歯周病の治療にも効果を有し、しかも、歯磨き剤に少量のプロポリスを適当に含有させるだけであるから、実施も容易であるなどの優れた特徴を有すると記載されている。
【考案の開示】
【考案が解決しようとする課題】
【０００７】  しかし、上記の研磨剤に含有されているプロポリスは高濃度、すなわち純度の高いプロポリスでなければ、上記のようなプロポリスが持っている固有の作用を発揮することができず、結果的にプロポリス入りでない通常の歯磨きにしか過ぎないと言うことになるとともに、高価なプロポリスを使用したことによるコストアップ要因となる課題がある。【０００８】  この考案は、上記従来の課題を解決するためになされたもので、合成界面活性剤や、着色剤、防腐剤などの添加物を使用することなく、マイルドな磨き心地が得られ、歯磨きをした直後に食事をしても食べ物の食感が変わらないとともに、高純度のプロポリスを使用することにより、プロポリスが持つ作用のうちの抗菌、殺菌、抗炎症作用を発揮させて、歯槽膿漏、歯肉炎の防止と治癒、口臭の抑制、虫歯予防などに有効な容器入り練り歯磨きを提供することを目的とする。
【課題を解決するための手段】
【０００９】  上記目的を達成するために、この考案の容器入り練り歯磨きは、酸カルシウムによる研磨剤と、常水による溶剤と、グリセリンとソルビトールトを含有する湿潤剤と、キサンタンガムとカラギーナンとを含有する粘結剤と、メントールとスペアミント油と高純度のプロポリスエキスとを含む香味剤とを含有させて容器内に充填することを特徴とする。【００１０】  この考案の容器入り練り歯磨きによれば、容器から所定量歯磨きを歯ブラシに付けて歯磨きを行うと、発泡剤を使用していないから、発泡剤による不必要な泡立ちがなく、歯の１本１本の隅々までしっかり磨けて、マイルドな感触が得られる。
これと同時に、含有されるプロポリスは純度の極めて高い高品位であり、プロポリスの有する抗菌、殺菌、抗炎症作用により、虫歯の予防を行い、歯周菌その他の雑菌を殺菌して、歯槽膿漏や歯肉炎などを治癒し、さらに、合成界面活性剤、防腐剤、発泡剤、香料等の添加物が含まれたいないことから、歯磨き後の使用感が爽快になり、歯磨き直後に食事をしても食べ物の味を損なわないように作用する。
【考案の効果】
【００１１】  上述したように、この考案の容器入り練り歯磨きによれば、合成界面活性剤、発泡剤、防腐剤、香料を含まないので、健康的に悪影響を及ぼすことなく、高品位のプロポリスの抗菌、殺菌、抗炎症作用により、虫歯の予防を行い、歯周菌その他の雑菌を殺菌して、歯槽膿漏や歯肉炎などを治癒し、口臭を抑制し、歯磨き後の使用感が爽快になり、歯磨き直後に食事をしても食べ物の味を損なわない効果を奏するものである。
【考案を実施するための最良の形態】
【００１２】  以下、この考案の実施の形態を図に基づいて説明する。図１は、この考案による容器入り練り歯磨きの第１実施の形態を示す外観斜示図である。
この図１に示すように、まず、この第１実施の形態では、練り歯磨き剤はプラスチック剤によるチューブ状の容器本体１内に充填されている。
容器本体１の先端部には、キャップ２が容器本体１と一体的に開閉自在に形成されている。すなわち、容器本体１の先端部には、肉薄に形成され、弾性を有する蝶番１ａを介して、周壁２ａを有する円板状に形成されたキャップ２が連結されている。【００１３】  キャップ２の周壁２ａの所定箇所には、操作舌片２ｂが形成されている。操作舌片２ｂは指先で矢印Ａ１方向に押し上げることにより、キャップ２の開放操作を行い、矢印Ａ２方向に押し下げて、キャップ２の閉成操作を行うためのものである。
さらに、キャップ２の内面の中央部には、嵌合突起（図示せず）が形成されている。この嵌合突起は、キャップ２を閉じるときに、容器本体１の上面の中央部に細いパイプ状に突出されている練り歯磨き剤の排出部（図示せず）に嵌合してキャップ２を容器本体１に閉じたときに固定するためのものである。【００１４】  次に、この容器本体１に充填されている練り歯磨き剤の主要成分について概述する。この第１実施の形態では、次の「表１」に示す成分が用いられている。【００１５】
【表１】
0003101978.tif 000003
0003101978.tif 000004
また、この表１に示された各成分の配合比率の一例は、次の「表２」に示されている。【００１６】
【表２】
0003101978.tif 000005
【００１７】  次に、上記「表１」、「表２」を適宜参照しながら第１実施の形態について具体的に説明する。まず、溶剤としての常水を準備する。使用する常水は配合比率で２７．０６％用いる。【００１８】  また、湿潤剤としてのグリセリンとソルビトールを用意する。グリセリンは、配合比率で１６．５０％用いる。
グリセリンは、ヤシ油やバー厶油などの植物性油脂から分解して得るもので、その特徴とする点は、空気中の水分を引き付ける働きがあり、たとえば、食品添加剤（甘味料、乳化剤など）、化粧品や、石鹸などに使用され、これらの製品の硬さや粘度を長期間一定に保持する特性がある。【００１９】  ソルビトールは配合比率で５．５０％用いる。ソルビトールはブドウ糖から合成される。ソルビトールの特徴は、口中で溶解するとき、さわやかな冷感がある。加熱によりかっ変を起こさない。微生物に利用されにくい。アルコール発酵を受けない。蛋白質を安定化する。脂質の酸化を防止する。澱粉の老化を防止するなどの特性を有する。
ソルビトールは、主として食品添加物（清涼菓子など）、ダイエット食品、糖の代替物として使用される。【００２０】  さらに、粘結剤として配合比率で０．９０％のキサンタンガムと配合比率で０．５０％のカラギーナンを用意する。
キサンタンガ厶は、澱粉などの糖質を醗酵させて得られるものである。その特徴は、液体醗酵により得られる多糖類であり、保水性、つや出し、粘度増加などの特性を有し、主な用途として、食品添加剤（佃煮、味噌、コーンスープ、缶入りおしるこなど）や、化粧品｛ジェル、乳液（増粘、乳化、補水など）｝に使用される。【００２１】  カラギーナンは、紅藻類に属する海草であり、その特徴は、植物系ゲル化剤の一つで、ゼラチン、寒天は単に冷やし固めるたけであるが、カラギーナンはミネラル類（カリウム、カルシウム）などによって、ゲル状に固めるゼラチンとは違って室温でも溶ける特性を有している。
カラギーナンの主たる用途は、食品添加剤（牛乳を使ったデザート、冷凍用デザートなど）や、化粧品、医薬品、歯磨きなどである。【００２２】  研磨剤として、炭酸カルシウムを配合比率で４８．００％用意する。炭酸カルシウムは、石灰石から得られ、その特徴は、カルシウム純度が高く、主な用途は食品添加剤（かまぼこ、パン、チューインガム、豆腐など）や、医薬品（カルシウム剤、胃腸薬の制酸剤、歯磨きの研磨剤など）である。【００２３】  さらに、香味剤として、配合比率で１．００％のプロポリスエキスと、配合比率で０．３６％のメントールと、配合比率で０．１８％のスペアミント油とを用意する。
メントールは、ハッカの葉を水蒸気蒸留により得た精油を冷却し得られ、その特徴は殺菌、防腐作用を有するとともに、爽快な芳香を有し、清涼味がある。
スペアミント油は、スペアミント（ミドリハッカ）から得られる香油であり、その特徴は、清涼感を与えるとともに、防虫効果、口臭防止、歯を白くするなどの効果を有する。
スペアミント油の主な用途は、食品添加剤（ガ厶、菓子など）や、歯磨き、口中剤などに用いられる。
また、プロポリスエキスは、この考案による練り歯磨きの構成成分のうち、最も重要な薬用的に有効な作用をなす成分である。【００２４】  この考案に用いられるプロポリスエキスは、（１）．抗菌、殺菌作用、（２）．抗ウイルス作用、（３）．鎮痛作用、（４）．消炎作用、（５）．抗アレルギー、免疫調整作用、（６）．組織再生（細胞活性）作用、（７）．造血作用、（８）．血管強化、血流調整作用、（９）．内分泌、代謝改善作用、（１０）．殺癌作用、（１１）．抗癌剤の副作用軽減作用、（１２）．活性酸素消去、遺伝子損傷を防御する作用、（１３）．ストレス緩和作用の１３の作用を有することが知られている。【００２５】  これらの「１３作用」のうち、この考案の容器入り練り歯磨きを使用することにより有効となる少なくとも抗菌、殺菌作用、抗炎症作用を遺憾なく発揮するために、非常に高純度（９８％以上の純度を有する）の高品位のプロポリスエキスが使用されている。
この高純度のプロポリスエキスを用いるために、プロポリスエキスはプロポリス原塊をエタノールに浸漬して抽出されるが、特に、たとえば、遠赤外線放射体を応用して抽出されるプロポリスエキスが用いられている。【００２６】  すなわち、エタノールにプロポリス原塊を浸漬して８℃以下の低温度状態で遠赤外線放射体をエタノールとプロポリス原塊に接触させ、プロポリス原塊とエタノールに遠赤外線放射体から放射する遠赤外線を照射させることにより、高純度のプロポリス原液を抽出し、それをこの考案では、プロポリスエキスとして用いるものである。【００２７】  また、別のプロポリス抽出方法では、所定温度のエタノールにプロポリス原塊を浸漬した状態でエタノール内に超音波発生装置の振動子を浸漬させ、その振動子を超音波で振動させて、超音波によりプロポリス原塊からプロポリスを抽出させることにより、高純度のプロポリス原液を得て、それをこの考案では、プロポリスエキスとして用いるものである。【００２８】  さらに、上記のプロポリス抽出方法におけるエタノールにプロポリス原塊を浸漬して８℃以下の低温度状態で遠赤外線放射体をエタノールとプロポリス原塊に接触させ、プロポリス原塊とエタノールに遠赤外線放射体から放射する遠赤外線を照射させる状態で超音波発生装置の振動子をエタノールに浸漬させ、その振動子を超音波で振動させて、遠赤外線と超音波との両方で抽出することにより、より一層速く、かつ高純度で抽出されるプロポリスエキスを用いるようにしてもよい。【００２９】  次に、上記容器本体１内に充填される練り歯磨き剤の製造手順について説明する。上記のように準備された溶剤、湿潤剤、粘結剤、研磨剤、香味剤のうち、まず、容積７００リットルのタンク内に溶剤としての常水と、湿潤剤としてのグリセリンおよびソルビトールとを上記「表２」に示す比率となるように計量して投入する。
この投入をした後に、タンク内でこれらの常水とグリセリンおよびソルビトールとが混ぜ合うように混合することにより、常水の水溶液調整を行う。【００３０】  また、粘結剤のキサンタンガ厶とカラギーナン、研磨剤の炭酸カルシウ厶とを上記「表２」に示す比率で計量してリボンブレンダー内に投入する。
この際、リボンブレンダーをたとえば、５分以上回転させて、これらのキサンタンガムとカラギーナン、炭酸カルシウムとを攪拌して可及的に均一に混合された粉体となるように粉体調整を行っておく。【００３１】  次に、この粉体調整された粉体をニーダーに投入するとともに、水溶液調整された水溶液をニーダーに投入する。
このニーダーに粉体と水溶液とを投入した状態で攪拌することにより、キサンタンガムとカラギーナンと炭酸カルシウムとの混合粉体は水溶液により練合される。
この練合に際して、塊りができないようによく練り合わせるが、好ましくは、水溶液の投入を一度にニーダーに投入するのではなく、３回程度に分けて投入する。これにより、粉体の塊ができにくくなり、均一に練合された練合体が得られる。【００３２】  次に、ニーダーに、さらに香味剤のメントールと、スペアミント油と、プロポリスエキスとを添加する。
この場合、香料としてのスペアミント油とメントールはあらかじめ湯煎で溶解してから添加する。
このように練合体に香味剤を添加して攪拌して練合することにより、練り歯磨きが製造される。
この段階で製造された練り歯磨きは、初期の規格通りに製造されているか、あるいは実際の使用に適するかどうか、などの検査を行う必要がある。【００３３】  そこで、上記のように製造された練り歯磨きの中間検査を行う。この中間検査では、マイルダーを通して官能検査と粘度の測定を行う。このうち、官能検査では、色と、状態と、臭いを検査する。
色は、プロポリスエキスを添加している関係上、ほぼくすんだ黄緑色をなしている。状態は、ペースト状であり、臭いは、プロポリスエキスの臭いと、メントールの臭いと、スペアミント油の臭いのミックスされた芳香を有する。
また、粘度測定では、２０，０００〜５０，０００ＣＰＳである。これらの条件を満たしていれば、中間検査は合格とする。【００３４】  次に、中間検査の合格した練り歯磨きは、あらかじめ規格した包装仕様に準じて、チューブ状の容器本体１に充填する。この充填の結果、外観と、充填量と、ロットＮＯ．とを確認する。
このうち、外観の確認は、傷、キャップ２の弛みの有無を確認し、充填量は１００〜１５０ｇ充填されているかの計量を行う。また、ロットＮＯ．は指定通りであることを確認する。【００３５】  最後に、製品検査として、規格通りの外観、色、臭いの検査を行う。外観はペースト状であり、色はほぼくすんだ黄緑色、臭いは、上述のように芳香を有することであれば、製品検査の合格として出荷する。
かくして、高純度のプロポリスが混入されたこの考案による容器入り練り歯磨きが得られる。【００３６】  このようにして得られた、この考案による容器入り練り歯磨きを使用する場合には、容器本体１に被せたキャップ２の舌片２ｂをキャップ２の上面方向に押せば、キャップ２の嵌合突起が容器本体１の上面に形成されている排出部から離脱して、蝶番１ａを介してキャップ２が容器本体１から矢印Ａ１方向に回動して容器本体１の蓋を開けた状態となる。
この状態で、チューブ状の容器本体１を把持しながら押せば、パイプ状の排出部から所定量の練り歯磨き剤が押し出される。
この押し出された練り歯磨き剤を歯ブラシに付けて歯磨きをすれば、練り歯磨き剤には、高純度のプロポリスエキスを使用しているから、その抗菌、殺菌、抗炎消作用により歯周菌および、口内の雑菌を殺菌する。【００３７】  これにより、口臭や、歯肉の腫れが治まり、歯茎が引き締まり、必然的に歯槽膿漏が治癒する。
また、合成界面活性剤、発泡剤、防腐剤、香料などを無添加としているから、発泡剤による不必要な泡立ちがない分、歯の一本一本をしっかりと磨くことができるとともに、磨き心地がマイルドになる。
さらに、上記のように合成界面活性剤、発泡剤、防腐剤、香料などの無添加にともない、市販の練り歯磨きに有り勝ちな変に薬品臭い臭いが口内に残存することもなくなる。したがって、歯磨きをした後に食事をしても、食べ物の味を損ねることもなくなる。
【図面の簡単な説明】
【００３８】
【図１】  この考案の容器入り練り歯磨きの第１実施の形態の外観斜示図である。
【符号の説明】
【００３９】  １  容器本体
１ａ  蝶番
２  キャップ
２ａ  周壁
２ｂ  操作舌片
【図１】
0003101978.tif 000006
【手続補正書】
【提出日】平成15年12月25日(2003.12.25)
【手続補正１】
【補正対象書類名】実用新案登録請求の範囲
【補正対象項目名】全文
【補正方法】変更
【補正の内容】
【実用新案登録請求の範囲】
【請求項１】
炭酸カルシウムによる研磨剤と、常水による溶剤と、グリセリンとソルビトールとを含有する湿潤剤と、キサンタンガ厶とカラギーナンとを含有する粘着剤と、メントールとスペアミンと油と高純度のプロポリスエキスとを含む香味剤とを含有させた練り歯磨き剤を、プラスチックによるチューブ状の容器本体内に充填し、上記容器本体の上面中央部に上記練り歯磨き剤を排出さるためにパイプ状に突出した排出部を設け、上記容器本体の先端部に蝶番を介して周壁に開閉操作を行うための操作舌片を有する円板状のキャップを一体的に設け、上記キャップの内面中央部に上記開閉操作時に上記排出部に挿脱する嵌合突起を設けてなることを特徴とする容器入り練り歯磨き。
【手続補正２】
【補正対象書類名】明細書
【補正対象項目名】０００９
【補正方法】変更
【補正の内容】
【０００９】  上記目的を達成するために、この考案の容器入り練り歯磨きは、炭酸カルシウムによる研磨剤と、常水による溶剤と、グリセリンとソルビトールとを含有する湿潤剤と、キサンタンガムとカラギーナンとを含有する粘着剤と、メントールとスペアミンと油と高純度のプロポリスエキスとを含む香味剤とを含有させた練り歯磨き剤を、プラスチックによるチューブ状の容器本体内に充填し、上記容器本体の上面中央部に上記練り歯磨き剤を排出さるためにパイプ状に突出した排出部を設け、上記容器本体の先端部に蝶番を介して周壁に開閉操作を行うための操作舌片を有する円板状のキャップを一体的に設け、上記キャップの内面中央部に上記開閉操作時に上記排出部に挿脱する嵌合突起を設けてなることを特徴とする。
【手続補正３】
【補正対象書類名】明細書
【補正対象項目名】００２３
【補正方法】変更
【補正の内容】
【００２３】  さらに、香味剤として、配合比率で１．００％のプロポリスエキスと、配合比率で０．３６％のメントールと、配合比率で０．１８％のスペアミント油とを用意する。
メントールは、ハッカの葉を水蒸気留により得た精油を冷却して得られ、その特徴は殺菌、防腐作用を有するとともに、爽快な芳香を有し、清涼味がある。
スペアミント油は、スペアミント（ミドリハッカ）から得られる香油であり、その特徴は、清涼感を与えるとともに、防虫効果、口臭防止、歯を白くするなどの効果を有する。
スペアミント油の主な用途は、食品添加剤（ガム、菓子など）や、歯磨き、口中剤などに用いられる。
また、プロポリスエキスは、この考案による練り歯磨きの構成成分のうち、最も重要な薬用的に有効な作用をなす成分である。